【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
１次側ユニットと、前記１次側ユニットと分離可能な２次側装置とを有し、前記１次側ユニットは、電源伝送面と、それぞれが電磁界を生成する操作が可能な複数の磁界生成器とを有し、前記磁界生成器は、前記電源伝送面に対して様々な位置に配置され、前記２次側装置は、２次コイルを備える電力受電部を有する誘導電力伝送システムであって、
前記電力伝送面に対する前記電力受電部の位置及び方向の少なくとも１つを決定する決定手段と、
様々な位置及び／又は方向において、様々な数の前記磁界生成器を同時に活性化するように、前記の決定に基づいて活性化する磁界生成器の数を制御する制御手段と、
を有するシステム。
【請求項２】
第１及び第２の形式の複数の２次側装置をさらに有し、
前記第１の形式の２次側装置は、前記電源伝送面に対して動作配置にあるときに、軸が前記電力伝送面と略平行になるコイルを備える電力受電部を有し、
前記第２の形式の２次側装置は、前記電源伝送面に対して動作配置にあるときに、軸が電力伝送面に略垂直を成すコイルを備える電力受電部を有し、
前記制御手段は、前記電力伝送面に近接する少なくとも１つの２次側装置の存在及び形式を検出する検出手段を有し、１つ、又は２つ以上の検出された前記２次側装置に電力を供給するために、前記検出に基づいて前記磁界生成器をさらに制御する請求項１に記載のシステム。
【請求項３】
前記２次コイルに磁束を導くことにより前記２次側装置に電力を供給するために、少なくとも１つの前記第１の磁界生成器と、少なくとも１つの前記第２の磁界生成器とを互いに実質的に反対方向に活性化する請求項１に記載のシステム。
【請求項４】
１次側ユニットと、前記１次側ユニットと分離可能な２次側装置とを有し、前記１次側ユニットは、電源伝送面と、それぞれが電磁界を生成する操作が可能な複数の磁界生成器とを有し、前記磁界生成器は、前記電源伝送面に対して様々な位置に配置され、前記２次側装置は、２次コイルを備える電力受電部を有する誘導電力伝送システムに使用する１次側ユニットであって、
前記電力伝送面に対する前記電力受電部の位置及び方向の少なくとも１つを決定する決定手段と、
様々な位置及び／又は方向において、様々な数の前記磁界生成器を同時に活性化するように、前記の決定に基づいて活性化する磁界生成器の数を制御する制御手段を有する１次側ユニット。
【請求項５】
前記システムは、第１及び第２の形式のそれぞれの複数の２次側装置をさらに有し、前記第１の形式の２次側装置は、前記電源伝送面に対して動作配置にあるときに、軸が前記電力伝送面と略平行になるコイルを備える電力受電部を有し、前記第２の形式の２次側装置は、前記電源伝送面に対して動作配置にあるときに、軸が前記電力伝送面に略垂直を成す軸を有するコイルを備える電力受電部を有する１次側ユニットであって、
前記１次ユニットは、１つ、又は２つ以上の前記２次側装置からの通信を受信する手段であって、前記通信、又はそれぞれの通信は、関連する前記２次側装置の形式を特定し、前記電力伝送面に対する動作位置における前記２次側装置の存在を示す手段と、
関連する前記２次側装置の前記通信された形式に基づいて選択した所定のパターンにそれぞれの位相を構成するように、前記磁界生成器を制御する操作が可能である制御手段と、
をさらに有する請求項４に記載の１次側ユニット。
【請求項６】
前記制御手段は、前記２次コイルに磁束を導くことにより前記２次側装置に電力を供給するために、少なくとも１つの前記第１の磁界生成器と、少なくとも１つの前記第２の磁界生成器とを互いに実質的に反対方向に活性化するように前記磁界生成器を制御し、前記第１の磁界生成器の数と前記第２の磁界生成器の数とは、前記の決定に基づいて選択される請求項４に記載の１次側ユニット。
【請求項７】
１次側ユニットと、前記１次側ユニットと分離可能な２次側装置とを有し、前記１次側ユニットは、電源伝送面と、それぞれが電磁界を生成する操作が可能な複数の磁界生成器とを有し、前記磁界生成器は、前記電源伝送面に対して様々な位置に配置され、前記２次側装置は、２次コイルを備える電力受電部を有する誘導電力伝送システムに使用する方法であって、
前記電力伝送面に対する前記電力受電部の位置及び方向の少なくとも１つを決定するステップと、
様々な位置及び／又は方向において、様々な数の前記磁界生成器を同時に活性化するように、前記の決定に基づいて活性化する磁界生成器の数を制御するステップと、
を有する方法。
【請求項８】
前記システムは、第１及び第２の形式のそれぞれの複数の２次側装置をさらに有し、前記第１の形式の２次側装置は、電源伝送面に対して動作配置にあるときに、軸が前記電力伝送面と略平行になるコイルを備える電力受電部を有し、前記第２の形式の２次側装置は、電源伝送面に対して動作配置にあるときに、軸が電力伝送面に略垂直を成すコイルを備える電力受電部を有する方法であって、
１つ、又は２つ以上の前記２次側装置からの通信を受信するステップであって、前記通信は、関連する前記２次側装置の形式を特定し、前記電力伝送面に対する動作位置における前記２次側装置の存在を示すステップを有し、
前記制御ステップは、前記存在する２次側装置、又は存在するそれぞれの２次側装置のために、関連する前記２次側装置の前記通信された形式に基づいて選択した所定のパターンにそれぞれの位相を構成するように、前記磁界生成器を制御する請求項７に記載の方法。
【請求項９】
前記２次コイルに磁束を導くことにより前記２次側装置に電力を供給するために、少なくとも１つの前記第１の磁界生成器と、少なくとも１つの前記第２の磁界生成器とを互いに実質的に反対方向に活性化し、前記第１の磁界生成器の数と前記第２の磁界生成器の数とは、前記の決定に基づいて選択される請求項７に記載の方法。
【請求項１０】
１次側ユニットと、前記１次側ユニットと分離可能な２次側装置とを有し、前記１次側ユニットは、電源伝送面と、それぞれが電磁界を生成する操作が可能な３つ以上の磁界生成器を有し、前記磁界生成器は、前記電源伝送面に対して様々な位置に配置され、前記２次側装置は、２次コイルを備える電力受電部を有する誘導電力伝送システムであって、
前記電力伝送面に対して前記電力受電部の位置及び方向の少なくとも１つを決定する決定手段と、
前記２次コイルに磁束を導くことにより前記２次側装置に電力を供給するために、前記の決定に基づいて選択される少なくとも１つの第１の磁界生成器と、少なくとも１つの第２の磁界生成器とを互いに実質的に反対方向に活性化し、さらに第３の磁界生成器を活性化しないことにより全ての前記磁界生成器が同時に活性化しないように前記磁界生成器を制御する制御手段を有するシステム。
【請求項１１】
前記２次側装置、又はそれぞれの２次側装置と前記１次側ユニットとの間の通信を可能にする手段をさらに有する請求項１０に記載のシステム。
【請求項１２】
交流電流を生成する電流生成器をさらに有し、
前記制御手段は、前記２次コイルに磁束を導くように、前記電流生成器から前記少なくとも１つの第１の磁界生成器に１つの方向に電流を供給し、前記少なくとも１つの第２の磁界生成器に反対の方向に電流を供給する前記決定手段に応答するスイッチング手段を含む請求項１０に記載のシステム。
【請求項１３】
１次側ユニットと、前記１次側ユニットと分離可能な２次側装置とを有し、前記１次側ユニットは、電源伝送面と、それぞれが電磁界を生成する操作が可能な３つ以上の磁界生成器を有し、前記磁界生成器は、前記電源伝送面に対して様々な位置に配置され、前記２次側装置は、２次コイルを備える電力受電部を有する誘導電力伝送システムに使用する１次側ユニットであって、
前記電力伝送面に対する前記電力受電部の位置と方向の少なくとも１つを決定する決定手段と、
前記２次コイルに磁束を導くことにより前記２次側装置に電力を供給するために、前記の決定に基づいて選択される少なくとも１つの第１の磁界生成器と、少なくとも１つの第２の磁界生成器とを互いに実質的に反対方向に活性化し、さらに第３の磁界生成器を活性化しないことにより全ての前記磁界生成器が同時に活性化しないように磁界生成器を制御する制御手段と、
をさらに有する１次側ユニット。
【請求項１４】
前記システムは、交流電流を生成する電流生成器をさらに有し、
前記制御手段は、前記２次コイルに磁束を導くことにより前記２次側装置に電力を供給するように、前記電流生成器から前記少なくとも１つの第１の磁界生成器に１つの方向に電流を供給し、前記少なくとも１つの第２の磁界生成器に反対の方向に電流を供給し、前記２次装置に電力を供給する決定手段に応答するスイッチング手段であって、磁界生成器の全てを同時に活性化しないように第３の磁界生成器を活性化しないスイッチング手段をさらに含む請求項１３に記載の１次側ユニット。
【請求項１５】
前記磁界生成器は、コイルを有する請求項１３に記載の１次側ユニット。
【請求項１６】
前記２次側装置と前記１次側ユニットとの間の通信を可能にする手段をさらに有する請求項１３に記載の１次側ユニット。
【請求項１７】
１次側ユニットと、前記１次側ユニットと分離可能な２次側装置とを有し、前記１次側ユニットは、電源伝送面と、それぞれが電磁界を生成する操作が可能な３つ以上の磁界生成器を有し、前記磁界生成器は、前記電源伝送面に対して様々な位置に配置され、前記２次側装置は、２次コイルを備える電力受電部を有する誘導電力伝送システムに使用する方法であって、
前記電力伝送面に対する前記電力受電部の位置と方向の少なくとも１つを決定するステップと、
前記２次コイルに磁束を導くことにより前記２次側装置に電力を供給するために、前記の決定に基づいて選択される少なくとも１つの第１の磁界生成器と、少なくとも１つの第２の磁界生成器とを互いに実質的に反対方向に活性化し、さらに第３の磁界生成器を活性化しないことにより全ての前記磁界生成器が同時に活性化しないように磁界生成器を制御するステップと、
を有する方法。
【請求項１８】
前記システムは、交流電流を生成する電流生成器をさらに有し、
前記の決定に応答して、前記２次コイルに磁束を導くことにより前記２次側装置に電力を供給するために、前記電流生成器から前記少なくとも１つの第１の磁界生成器に１つの方向に電流を供給し、前記少なくとも１つの第２の磁界生成器に反対の方向に電流を供給し、磁界生成器の全てを同時に活性化しないように第３の磁界生成器を活性化しないステップをさらに有する請求項１７に記載の方法。
【請求項１９】
前記決定及び前記制御の少なくとも１つにおいて支援するために、前記２次側装置と前記１次側ユニットとの間を通信するステップをさらに有する請求項１７に記載の方法。
【請求項２０】
誘導電力伝送システムであって、
電力伝送面と、それぞれが電磁界を生成する操作が可能な複数の磁界生成器とを備える１次側ユニットであって、前記磁界生成器は、前記電力伝送面に対して様々な位置に配置される１次側ユニットと、
前記１次側ユニットと分離可能な第１及び第２の２次側装置であって、前記第１の２次側装置は、前記電力伝送面に対して動作位置にあるときに、前記電力伝送面に略平行である軸を有するコイルを備える電力受電部を有し、前記第２の２次側装置は、前記電力伝送面に対して動作位置にあるときに、前記電力伝送面に略直角を成す軸を有するコイルを備える電力受電部を有する２次側装置と、
前記電力伝送面に対する動作位置において少なくとも１つの２次側装置の存在と種類とを決定する手段と、
（ａ）前記第１の２次側装置のコイルを介して磁束を導くことにより前記第１の２次側装置に電力を供給するために、前記少なくとも１つの２次側装置の一方が前記第１の２次側装置のときに、前記決定に基づいて選択される前記磁界生成器の前記第１の磁界生成器と、前記第２の磁界生成器とが互いに反対方向に活性化するように前記磁界生成器を制御し、（ｂ）前記第２の２次側装置のコイルを介して磁束を導くことにより前記第２の２次側装置に電力を供給するために、前記少なくとも１つの２次側装置の他方が前記第２の２次側装置のときに、前記の決定に基づいて選択される複数の第３の磁界生成器が互いに同一方向に活性化するように前記磁界生成器を制御する少なくとも１つの制御手段と、
を有するシステム。